(57)【要約】【課題】敷地面積に合わせて容易にコンパクト化でき、さらに、現場での建設作業を効率化して現場での作業負担を軽減できる水処理施設を提供することを目的とする。【解決手段】搬送可能で、且つ施工現場に設置される複数のブロック３Ａ〜３Ｉと、施工現場に設置された複数のブロック３Ａ〜３Ｉ同士を接続し、廃水由来の液体を移送する外部移送管５１ａ〜５１ｈと、を備え、複数のブロック３Ａ〜３Ｉは、設備を架構式構造で囲むブロック３Ａ〜３Ｅと、設備を壁構造で囲むブロック３Ｆ〜３Ｉからなり、ブロック３Ａ〜３Ｉは１階部分に設置され、ブロック３Ｆ〜３Ｉは２階部分に設置されて施設のコンパクト化を可能にする。【選択図】図１
2010227791.tif 000002
【特許請求の範囲】
【請求項１】
濾過膜によって被処理水を濾過して処理水を生成する水処理施設において、
搬送可能で、且つ施工現場に設置される複数のユニット構造体と、
前記施工現場に設置された複数の前記ユニット構造体同士を接続し、前記被処理水由来の液体を移送する管路と、を備え、
複数の前記ユニット構造体は、
前記液体を貯留する貯留槽及び前記貯留槽から前記液体を移送するためのポンプを装備し、前記貯留槽及び前記ポンプの周囲を架構式構造及び壁構造の少なくとも一方の構造によって囲む第１のユニット構造体と、
一または複数の前記濾過膜を装備し、前記濾過膜の周囲を架構式構造及び壁構造の少なくとも一方の構造によって囲む第２のユニット構造体と、を少なくとも含み、
前記ユニット構造体は、上下多段に設置されていることを特徴とする水処理施設。
【請求項２】
前記ユニット構造体は、直方体状であり、
下段の複数の前記ユニット構造体は長手方向に交差する方向に沿って並び、
上段の前記ユニット構造体は、下段の前記ユニット構造体の長手方向に交差する方向に沿って設置されていることを特徴とする請求項１記載の水処理施設。
【請求項３】
前記第２のユニット構造体は、壁構造によって前記濾過膜を囲むことを特徴とする請求項１または２記載の水処理施設。
【請求項４】
前記第１のユニット構造体は、架構式構造によって前記貯留槽及び前記ポンプを囲むことを特徴とする請求項１〜３のいずれか一方記載の水処理施設。
【請求項５】
前記第１のユニット構造体は下段に設置され、前記第２のユニット構造体は上段に設置されていることを特徴とする請求項１〜４のいずれか一項記載の水処理施設。
【請求項６】
濾過膜によって被処理水を濾過して処理水を生成する水処理施設の施工方法において、
前記被処理水由来の液体を貯留する貯留槽及び前記貯留槽から前記液体を移送するためのポンプを装備し、前記貯留槽及び前記ポンプの周囲を架構式構造及び壁構造の少なくとも一方の構造によって囲む第１のユニット構造体と、一または複数の前記濾過膜を装備し、前記濾過膜の周囲を架構式構造及び壁構造の少なくとも一方の構造によって囲む第２のユニット構造体と、を少なくとも含む複数のユニット構造体を施工現場まで搬送し、
前記施工現場において、複数の前記ユニット構造体を上下多段になるように設置し、
前記施工現場において、複数の前記ユニット構造体同士を、前記液体を移送する管路で接続することを特徴とする水処理施設の施工方法。
【発明の詳細な説明】
【技術分野】
【０００１】
本発明は、濾過膜によって被処理水を濾過して処理水を生成する水処理施設及び水処理施設の施工方法に関する。
【背景技術】
【０００２】
河川水、湖沼水または地下水などの原水から濾過膜を利用して処理水を生成する水処理施設は、従来から知られている。例えば、特許文献１には、濾過膜を備えた膜濾過装置を備えた水処理施設が開示されている。この種の水処理施設では、膜濾過装置へ被処理水を圧送するための送水ポンプや、被処理水や膜濾過後の処理水を貯留するタンクなどが必要であり、さらに、それらは、液体移送のためのパイプで繋がっている。この種の水処理施設では、目的の性能や敷地面積などに応じて全体のレイアウトや規格等の設計が行われ、さらに、施設を施工する際には、現場敷地内に資材や各種部品などを運び込み、現場でそれらを組み上げて完成させるのが一般である。
【先行技術文献】
【特許文献】
【０００３】
【特許文献１】特開２００３−２６６０７１号公報
【発明の概要】
【発明が解決しようとする課題】
【０００４】
しかしながら、従来の水処理施設では、各種設備やタンク類を地上に安定して据え付け、さらに、それらを連結すべく配管を行うためのエリアを確保する必要があるため、広い敷地面積を要し、コンパクト化は難しかった。さらに、施工の際には、現場にて各種設備やタンク類を構築し、さらに配管する必要があるので、現場での建設作業に要する時間が長くなって作業負担が大きくなり、経費の増大にもつながり易かった。
【０００５】
本発明は、以上の課題を解決することを目的としており、敷地面積に合わせて容易にコンパクト化でき、さらに、施工現場での建設作業を効率化して施工現場での作業負担を軽減できる水処理施設及び水処理施設の施工方法を提供することを目的とする。
【課題を解決するための手段】
【０００６】
本発明は、濾過膜によって被処理水を濾過して処理水を生成する水処理施設において、搬送可能で、且つ施工現場に設置される複数のユニット構造体と、施工現場に設置された複数のユニット構造体同士を接続し、被処理水由来の液体を移送する管路と、を備え、複数のユニット構造体は、液体を貯留する貯留槽及び貯留槽から液体を移送するためのポンプを装備し、貯留槽及びポンプの周囲を架構式構造及び壁構造の少なくとも一方の構造によって囲む第１のユニット構造体と、一または複数の濾過膜を装備し、濾過膜の周囲を架構式構造及び壁構造の少なくとも一方の構造によって囲む第２のユニット構造体と、を少なくとも含み、ユニット構造体は、上下多段に設置されていることを特徴とする。
【０００７】
本発明では、複数のユニット構造体のうち、第１のユニット構造体は、液体を貯留する貯留槽及び貯留槽から液体を移送するためのポンプを装備し、第２のユニット構造体は、濾過膜を保持する。ユニット構造体は、搬送可能であるため、例えば、工場で、ユニット構造体に貯留槽やポンプ、または濾過膜を備え付け、それらの複数のユニット構造体を施工現場に設置することで、水処理施設の主要な構造を簡単に構築できる。さらに、現場にユニット構造体を設置するのに合わせて、ユニット構造体同士を管路で接続することによって完成させることができるため、施工現場での作業負担は軽減され、施工現場での建設作業を効率化できる。さらに、複数のユニット構造体は、上下多段に設置されるので、施工現場での敷地面積に合わせて容易にコンパクト化できる。
【０００８】
さらに、ユニット構造体は、直方体状であり、下段の複数のユニット構造体は長手方向に交差する方向に沿って並び、上段のユニット構造体は、下段のユニット構造体の長手方向に交差する方向に沿って設置されていると好適である。この構成では、上段のユニット構造体は、下段の複数のユニット構造体の長手方向に交差する方向に長手方向を向けて設置されるので、下段の複数のユニット構造体のいずれからでも管路を接続し易くなり、管路長を短くし易くなる。さらに、この構成では、上段のユニット構造体は、安定し地震などの揺れにも強くなる。
【０００９】
さらに、第２のユニット構造体は、壁構造によって濾過膜を囲むと好適である。壁構造にすることで、濾過膜を外界から遮断して濾過膜を保護することが可能になる。
【００１０】
さらに、第１のユニット構造体は、架構式構造によって貯留槽及びポンプを囲むと好適である。架構式構造であるため、壁構造に比べて軽量化し易く、搬送の際に有利である。
【００１１】
さらに、第１のユニット構造体は下段に設置され、第２のユニット構造体は上段に設置されていると好適である。第１のユニット構造体は液体を貯留する貯留槽を装備するため、第２のユニット構造体に比べて重量負荷が大きくなる。そこで、重量負荷の大きな第１のユニット構造体を下段に設置し、比較的重量負荷の小さな第２のユニット構造体を上段に設置することにより、構造上、施設全体が安定する。
【００１２】
また、本発明は、濾過膜によって被処理水を濾過して処理水を生成する水処理施設の施工方法において、被処理水由来の液体を貯留する貯留槽及び貯留槽から液体を移送するためのポンプを装備し、貯留槽及びポンプの周囲を架構式構造及び壁構造の少なくとも一方の構造によって囲む第１のユニット構造体と、一または複数の濾過膜を装備し、濾過膜の周囲を架構式構造及び壁構造の少なくとも一方の構造によって囲む第２のユニット構造体と、を少なくとも含む複数のユニット構造体を施工現場まで搬送し、施工現場において、複数の前記ユニット構造体を上下多段になるように設置し、施工現場において、複数のユニット構造体同士を、液体を移送する管路で接続することを特徴とする。本発明によれば、施工現場での作業負担は軽減され、施工現場での建設作業を効率化できる。さらに、複数のユニット構造体は、上下多段に設置されるので、現場での敷地面積に合わせて容易にコンパクト化できる。
【発明の効果】
【００１３】
本発明によれば、施工現場での敷地面積に合わせて容易にコンパクト化でき、さらに、施工現場での建設作業を効率化できる水処理施設を提供することを目的とする。
【図面の簡単な説明】
【００１４】
【図１】本発明の実施形態に係る水処理施設の斜視図である。
【図２】本実施形態に係る水処理施設の側面図である。
【図３】本実施形態に係る水処理施設の平面図である。
【図４】図２のＩＶ−ＩＶ線に沿った端面図である。
【図５】本実施形態に係る水処理施設での処理フローの流れを説明するための模式図である。
【図６】水処理施設を構成するブロックを搬送している状態を示す斜視図である。
【図７】第２ブロックの斜視図である。
【発明を実施するための形態】
【００１５】
以下、本発明の好適な実施形態について図面を参照しながら説明する。図１は、本発明の実施形態に係る水処理施設の全体を示す斜視図である。また、図２は水処理施設の側面図であり、図３は水処理施設の平面図である。また、図４は図２のＩＶ−ＩＶ線に沿った断面図である。さらに、図５は、水処理施設における処理フローを説明するために、水処理施設の各ブロックの配置と液体の流れ方向を模式的に示す図である。
【００１６】
図１に示されるように、本実施形態に係る水処理施設１は、二階建ての建造物であり、一階及び二階にそれぞれ複数のブロック（ユニット構造体）３Ａ，３Ｂ，３Ｃ，３Ｄ、３Ｅ，３Ｆ，３Ｇ，３Ｉが設置されて構築されている。一階（下段）部分には、第１，第２，第３，第４及び第５ブロック３Ａ〜３Ｅが並設されており、二階（上段）部分には、一階部分の各ブロック３Ａ〜３Ｅに積み重なるようにして、第６，第７，第８及び第９ブロック３Ｆ〜３Ｉが設置されている。第１〜第９の各ブロック３Ａ〜３Ｉは、廃水から処理水を生成する処理フローに沿った各機能を分担して受け持っており、各ブロック３Ａ〜３Ｉには、それぞれの機能に対応した設備が装備されている。
【００１７】
一階部分の第１〜第５ブロック３Ａ〜３Ｅは、架構式構造によって設備を直方体状に囲む鋼製のフレーム体（図７参照）であり、設備が設置される矩形の床部３ａと、床部３ａの四隅で立設された柱部３ｂと、各柱部３ｂの上端同士を連結する梁部３ｃと、を備えた骨組み構造になっている。第１〜第５ブロック３Ａ〜３Ｅは、第１のユニット構造体に相当する。なお、図７には、架構式構造のブロック３Ａ〜３Ｅを代表して第２ブロック３Ｂを示している。
【００１８】
二階部分の第６〜第９ブロック３Ｆ〜３Ｉは、壁構造によって設備を直方体状に囲む鋼製のコンテナ（図６参照）である。コンテナには、断熱塗装が施されている。第６〜第９ブロック３Ｆ〜３Ｉは、第２のユニット構造体に相当する。
【００１９】
図２〜図４に示されるように、第１ブロック３Ａには、廃水（被処理水）を受け入れる一または複数の廃水槽（貯留槽）５と、廃水を移送するためのポンプユニット６と、が装備されている。ポンプユニット６は、複数台のポンプ６ａ（図５参照）によって構成される。さらに、廃水槽５及びポンプユニット６には、廃水を移送するための移送管７が組み付けられている。また、第１ブロック３Ａには、倉庫となる部屋８が設けられ、さらに、ポンプユニット６の各ポンプ６ａを駆動制御する制御盤９が設置されている。制御盤９には、電力供給または電気信号を送受信可能に接続するためのコネクタが設けられている。
【００２０】
第２ブロック３Ｂには、廃水槽５から受け入れた廃水をＭＦ膜に供給するために一時的に貯留するＭＦ供給槽（貯留槽）１０と、ＭＦ供給槽１０から廃水を圧送するためのポンプユニット１１と、が装備されている。ポンプユニット１１は、複数台のポンプ１１ａによって構成される。さらに、ＭＦ供給槽１０及びポンプユニット１１には、廃水を移送するための移送管１２が組み付けられている。また、第２ブロック３Ｂには、ＭＦ供給槽１０の他に、NaClO（次亜鉛素酸ナトリウム）槽１３やNH4OH（アンモニア水）槽１４が装備され、さらに、ポンプユニット１１の各ポンプ１１aを駆動制御する制御盤１５が設置されている。制御盤１５には、電力供給または電気信号を送受信可能に接続するためのコネクタが設けられている。
【００２１】
第３ブロック３Ｃには、第７ブロック３ＧのＭＦ膜モジュール３６からの濃縮水を貯留するＭＦ濃縮槽（貯留槽）１６と、ＭＦ濃縮槽１６に貯留された濃縮水を移送するためのポンプユニット１７と、が装備されている。ポンプユニット１７は、複数台のポンプ（図示せず）によって構成される。さらに、ＭＦ濃縮槽１６及びポンプユニット１７には、濃縮水を移送するための移送管１８が組み付けられている。さらに、第３ブロック３Ｃには、ポンプユニット１７の各ポンプを駆動制御する制御盤１９が設置されている。制御盤１９には、電力供給または電気信号を送受信可能に接続するためのコネクタが設けられている。なお、濃縮水は、廃水（被処理水）由来の液体に相当する。
【００２２】
第４ブロック３Ｄには、ＭＦ膜を透過した濾過廃水を１次側のＲＯ膜に供給するために貯留する１次ＲＯ供給槽（貯留槽）２０と、１次側のＲＯ膜を透過した一次処理水を２次側のＲＯ膜に供給するために貯留する２次ＲＯ供給槽（貯留槽）２１と、が装備されている。さらに、第４ブロック３Ｄには、１次ＲＯ供給槽２０に貯留された濾過廃水を圧送するための１次ポンプユニット２３と、２次ＲＯ供給槽２１に貯留された１次処理水を圧送するための２次ポンプユニット２５と、が装備されている。１次ポンプユニット２３は、複数台のポンプ２３ａによって構成され、２次ポンプユニット２５は、複数台のポンプ２５ａによって構成される。さらに、１次及び２次ＲＯ供給槽２０，２１及び各ポンプユニット２３，２５には、移送管２６が組み付けられている。さらに、第４ブロック３Ｄには、各ポンプユニット２３，２５の各ポンプ２３ａ，２５ａを駆動制御する制御盤２７が設置されている。制御盤２７には、電力供給または電気信号を送受信可能に接続するためのコネクタが設けられている。濾過廃水や一次処理水などは、廃水（被処理水）由来の液体に相当する。
【００２３】
第５ブロック３Ｅには、２次側のＲＯ膜を透過した二次処理水を貯留する回収槽（貯留槽）２９と、２次ＲＯ膜モジュールからの濃縮水を貯留するＲＯ濃縮槽（貯留槽）２８と、二次処理水や濃縮水を移送するためのポンプユニット３０と、が装備されている。ポンプユニット３０は、複数台のポンプ３０ａによって構成される。さらに、回収槽２９やＲＯ濃縮槽２８には、移送管３１が組み付けられている。さらに、第５ブロック３Ｅには、ポンプユニット３０の各ポンプ３０ａを駆動制御する制御盤３３が設置されている。制御盤３３には、電力供給または電気信号を送受信可能に接続するためのコネクタが設けられている。さらに、第５ブロック３Ｅには、回収槽２９やＲＯ濃縮槽２８の他に、分散剤槽３２が装備されている。二次処理水や濃縮水は、廃水（被処理水）由来の液体に相当する。
【００２４】
二階部分の第６ブロック３Ｆには、各ブロック３Ａ〜３Ｅ，３Ｇ〜３Ｉでの運転状態や処理水量などを作業員が監視するための監視室が設けられており、各ブロック３Ａ〜３Ｅ，３Ｇ〜３Ｉでの運転制御を統括的に管理する中央処理装置が設けられている。中央処理装置は親局に相当し、各ブロック３Ａ〜３Ｅ，３Ｇ〜３Ｉに個別に設けられている制御盤９，１５，１９，２７，３３，３９，４４,４９は子局に相当する。中央処理装置と各制御盤９，１５，１９，２７，３３，３９，４４，４９とは、それぞれ一本の配線で結ばれる。中央処理装置では、各制御盤９，１５，１９，２７，３３，３９，４４，４９から流量、温度、圧力または水位レベルなどの運転状態を把握するためのデータを取得し、取得したデータに基づいて各ブロック３Ａ〜３Ｅ，３Ｇ〜３Ｉを統括して制御し、最適な運転環境を形成する。
【００２５】
第７ブロック３Ｇには、ＭＦ（精密ろ過）膜を組み込んだ複数のＭＦ膜モジュール（濾過膜）３６と、ＭＦ供給槽１０からの濾過廃水をＭＦ膜モジュール３６に配水するためのバルブユニット３７と、が装備されている。さらに、ＭＦ膜モジュール３６やバルブユニット３７には、移送管３８が組み付けられている。また、第７ブロック３Ｇには、バルブユニット３７のＯＮ／ＯＦＦ制御や切り替え制御を行う制御盤３９が設置されている。制御盤３９には、電力供給または電気信号を送受信可能に接続するためのコネクタが設けられており、このコネクタは、コンテナの壁を貫通して露出しており、外部から接続可能に配置されている。ＭＦ膜モジュール３６は、次行程のＲＯ膜を保護するために設けられたクロスフロー方式の濾過設備であり、ＭＦ膜を透過した濾過廃水と濃縮水とを排出する。
【００２６】
第８ブロック３Ｈには、ＲＯ（逆浸透）膜を組み込んだ複数の１次ＲＯ膜モジュール（濾過膜）４１と、１次ＲＯ供給槽２０からの濾過廃水を１次ＲＯ膜モジュール４１に配水するためのバルブユニット４２と、が装備されている。さらに、１次ＲＯ膜モジュール４１やバルブユニット４２には、移送管４３が組み付けられている。また、第８ブロック３Ｈには、バルブユニット４２のＯＮ／ＯＦＦ制御や切り替え制御を行う制御盤４４が設置されている。制御盤４４には、電力供給または電気信号を送受信可能に接続するためのコネクタが設けられており、このコネクタは、コンテナの壁を貫通して露出しており、外部から接続可能に配置されている。１次ＲＯ膜モジュール４１は、濃縮水と１次ＲＯ膜を透過した一次処理水を排出する。
【００２７】
第９ブロック３Ｉには、ＲＯ（逆浸透）膜を組み込んだ複数の２次ＲＯ膜モジュール（濾過膜）４６と、２次ＲＯ供給槽２１からの一次処理水を２次ＲＯ膜モジュール４６に配水するためのバルブユニット４７と、が装備されている。さらに、２次ＲＯ膜モジュール４６やバルブユニット４７には、移送管４８が組み付けられている。また、第９ブロック３Ｉには、バルブユニット４７のＯＮ／ＯＦＦ制御や切り替え制御を行う制御盤４９が設置されている。制御盤４９には、電力供給または電気信号を送受信可能に接続するためのコネクタが設けられており、このコネクタは、コンテナの壁を貫通して露出しており、外部から接続可能に配置されている。２次ＲＯ膜モジュール４６は、濃縮水とＲＯ膜を透過した二次処理水を排出する。
【００２８】
次に、図５を参照して、第１〜第９ブロックの機能を処理フローに沿って説明する。なお、第１〜第５ブロック３Ａ〜３Ｅ，第７〜第９ブロック３Ｇ〜３Ｉには、個別の制御盤９，１５，１９，２７，３３，３９，４４,４９が設けられているが、制御盤９，１５，１９，２７，３３，３９，４４,４９は、第６ブロック３Ｆに設けられた中央処理装置によって一元管理されており、統括的に運転制御されている。従って、以下に示す処理フローは、各ブロック３Ａ〜３Ｅ，３Ｇ〜３Ｉが独立してではなく、中央処理装置によって最適な運転状態となるように実行されている。
【００２９】
図５に示されるように、一階部分の第１ブロック３Ａでは、廃水を廃水槽５で受け入れ、第２ブロック３ＢのＭＦ供給槽１０に移送する。
【００３０】
第２ブロック３Ｂでは、ポンプユニット１１の各ポンプ１１ａが駆動し、ＭＦ供給槽１０から廃水を汲み上げて第７ブロック３ＧのＭＦ膜モジュール３６に０．３ＭＰａ程度の圧力で圧送する。第７ブロック３Ｇは、二階部分に設置されており、第２ブロック３Ｂと第７ブロック３Ｇとは、廃水を移送するための外部移送管（管路）５１ａを介して連絡されている。
【００３１】
第７ブロック３Ｇでは、バルブユニット３７が、送り込まれた廃水をＭＦ膜モジュール３６それぞれに配水する。ＭＦ膜モジュール３６とバルブユニット３７との間でクロスフローの循環ラインが形成される。ＭＦ膜モジュール３６からの濃縮水は、一階部分の第３ブロック３Ｃに装備されたＭＦ濃縮槽１６に向けて排出され、ＭＦ膜モジュール３６からの濾過廃水は、一階部分の第４ブロック３Ｄに装備された１次ＲＯ供給槽２０に向けて排出される。第７ブロック３Ｇと第３ブロック３Ｃとは、濃縮水を移送するための外部移送管（管路）５１ｂを介して連絡され、第７ブロック３Ｇと第４ブロック３Ｄとは、濾過廃水を移送するための外部移送管（管路）５１ｃを介して連絡されている。
【００３２】
第３ブロック３Ｃでは、外部移送管５１ｂを介して送り込まれた濃縮水をＭＦ濃縮槽１６に貯留し、適宜に、バルブユニット１７が駆動してＭＦ濃縮槽１６から濃縮水を排出する。
【００３３】
第４ブロック３Ｄでは、外部移送管５１ｃを介して第７ブロック３Ｇから送り込まれた濾過廃水を１次ＲＯ供給槽２０に貯留する。さらに、第４ブロック３Ｄでは、１次ポンプユニット２３の各ポンプ２３ａが駆動して、１次ＲＯ供給槽２０から濾過廃水を汲み上げて、第８ブロック３Ｈの１次ＲＯ膜モジュール４１に１．０ＭＰａ〜１．５ＭＰａの高圧で圧送する。第８ブロック３Ｈは、二階部分に設置されており、第４ブロック３Ｄと第８ブロック３Ｈとは、濾過廃水を移送するための外部移送管（管路）５１ｄを介して連絡されている。
【００３４】
第８ブロック３Ｈでは、バルブユニット４２が、送り込まれた濾過廃水を１次ＲＯ膜モジュール４１それぞれに配水する。１次ＲＯ膜モジュール４１からの濃縮水は、ＭＦ膜モジュール３６の逆洗水として利用するために第７ブロック３Ｇに戻される。また、１次ＲＯ膜モジュール４１からの１次処理水は、一階部分の第４ブロック３Ｄに装備された２次ＲＯ供給槽２１に向けて排出される。第８ブロック３Ｈと第７ブロック３Ｇとは、濃縮水を移送するための外部移送管（図示せず）を介して連絡され、第８ブロック３Ｈと第４ブロック３Ｄとは、１次処理水を移送するための外部移送管５１ｅを介して連絡されている。
【００３５】
第４ブロック３Ｄでは、外部移送管５１ｅを介して第８ブロック３Ｈから送り込まれた１次処理水を２次ＲＯ供給槽２１に貯留する。さらに、第４ブロック３Ｄでは、２次ポンプユニット２５の各ポンプが駆動して、２次ＲＯ供給槽２１から１次処理水を汲み上げて第９ブロック３Ｉの２次ＲＯ膜モジュール４６まで１．０ＭＰａ〜１．５ＭＰａの高圧で圧送する。第９ブロック３Ｉは、二階部分に設置されており、第４ブロック３Ｄと第９ブロック３Ｉとは、１次処理水を移送するための外部移送管５１ｆを介して連絡している。
【００３６】
第９ブロック３Ｉでは、バルブユニット４７が、送り込まれた１次処理水を２次ＲＯ膜モジュール４６それぞれに配水する。２次ＲＯ膜モジュール４６からの濃縮水は、１階部分に設置された第５ブロック３Ｅの濃縮槽２８に移送される。２次ＲＯ膜モジュール４６からの２次処理水は、第５ブロック３Ｅの回収槽２９に移送される。第９ブロック３Ｉと第５ブロック３Ｅとは、外部移送管５１ｇ，５１ｈを介して連絡されている。なお、本実施形態では、処理水の品質を所望の程度まで高めるために１次ＲＯ膜モジュール４１を装備した第８ブロック３Ｈの後工程に、さらに２次ＲＯ膜モジュール４６を装備した第９ブロック３Ｉを設置している。
【００３７】
第５ブロック３Ｅでは、外部移送管５１ｇを介して第９ブロック３Ｉから送り込まれた濃縮水を濃縮槽２８に貯留し、また、外部移送管５１ｈを介して送り込まれた二次処理水を回収槽２９に貯留する。さらに、ポンプユニット３０の各ポンプ３０ａは、濃縮槽２８に貯留された濃縮水を適宜に排出し、回収槽２９に貯留された二次処理水を排出する。二次処理水は、最終的に生成される処理水である。
【００３８】
次に、水処理施設１の施工方法について説明する。施工現場の敷地内に水処理施設１を構築する際には、水処理施設１の機能や規模に合わせて現場から離れた工場で各ブロック３Ａ〜３Ｉが予め製造される。図６に示されるように、各ブロック３Ａ〜３Ｉは、完成後にトラック等の搬送手段５３で現場まで搬送される。
【００３９】
図１〜図４に示されるように、施工現場では、地上に第１〜第５ブロック３Ａ〜３Ｅが据え付けられる。第１ブロック〜第３ブロック３Ａ〜３Ｃは、スペースを空けることなく隣接して並べられる。一方で、第４ブロック３Ｄは、第３ブロック３Ｃとの間に所定のスペースＳｐを空けて並設され、さらに、第５ブロック３Ｅは、第４ブロック３Ｄとの間に所定のスペースＳｐを空けて並設されている。
【００４０】
二階部分の第６ブロック３Ｆは、第１ブロック３Ａと同じ向き、すなわち、第６ブロック３Ｆと第１ブロック３Ａとの長手方向が同方向となるように重ねられて設置される。
【００４１】
二階部分の第７〜第９ブロック３Ｇ〜３Ｉは、１階部分の第３〜第６ブロック３Ｃ〜３Ｅに積み重ねられて設置される。さらに、第７〜第９ブロック３Ｇ〜３Ｉは、第３〜第５ブロック３Ｃ〜３Ｅの長手方向Ｄ１（図３参照）と直交する方向Ｄ２に長手方向を向けて設置され、さらに、第７〜第９ブロック３Ｇ〜３Ｉ同士の間には、所定のスペースが形成されている。以上により、各ブロック３Ａ〜３Ｉは、上下多段に設置される。
【００４２】
なお、本実施形態では、第１ブロック３Ａと第６ブロック３Ｆとは、長手方向が同方向となるように上下二段に重ねられて設置され、第３〜第６ブロック３Ｃ〜３Ｅと第７〜第９ブロック３Ｇ〜３Ｉとは、長手方向が交差するように上下二段に重ねられて設置されているが、上下の各ブロックの総ての長手方向が同方向となるように設置してもよく、また、下段のブロックの長手方向に対して上段の総てのブロックの長手方向が交差するようにしてもよい。
【００４３】
第１〜第９ブロック３Ａ〜３Ｉを据え付けて固定する際に同時に、または、据え付けが完了した後に、上述の処理フローに合わせて外部移送管（管路）５１ａ〜５１ｈの敷設が行われ、第１〜第９ブロック３Ａ〜３Ｉが適宜に接続される。この際に、一階部分の第３〜第５ブロック３Ｃ〜３Ｅと、二階部分の第７〜第９ブロック３Ｇ〜３Ｉとは、上下で濾過廃水や１次及び２次処理水をやりとりする必要があり、複雑な配管が要求されるために管路長が長くなり易い。しかしながら、第３〜第５ブロック３Ｃ〜３Ｅ同士の間には、外部移送管５１ｃ〜５１ｇを配管するための所定のスペースＳｐが形成されているため、このスペースＳｐに上下を連絡する外部移送管５１ｃ〜５１ｇを配置することで、外部移送管５１ｃ〜５１ｇをコンパクトにまとめ易くなり、管路長を短くできる。
【００４４】
また、第１〜第５ブロック３Ａ〜３Ｅ及び第７〜第９ブロック３Ｇ〜３Ｉは、配管のレイアウトを考慮して製造されており、現場では、各ブロック３Ａ〜３Ｅ，３Ｇ〜３Ｉの移送管７，１２，１８，２６，３１，３８，４３，４８の接続口に、例えば、フランジ接続等で簡単に接続できるようになっている。なお、一階部分の第１〜第５ブロック３Ａ〜３Ｅは、架構式構造であるために壁は無く、移送管７，１２，１８，２６，３１の接続口の配置は比較的に自由に決められる。一方で、二階部分の第７〜第９ブロック３Ｇ〜３Ｉは、壁構造であり、移送管３８，４３，４８の接続口に対応する箇所には、予め開口が設けられており、その開口を介して移送管３８，４３，４８の接続が行われる。
【００４５】
また、各ブロック３Ａ〜３Ｉには、それぞれ独立して制御盤９，１５，１９，２７，３３，３９，４４，４９が設けられており、制御盤９，１５，１９，２７，３３，３９，４４，４９の各コネクタに電力供給、または電気信号を送受信するためのコードが接続される。
【００４６】
本実施形態では、水処理施設１の主要部分を構成する複数のブロック３Ａ〜３Ｉは、現場まで搬送可能である。従って、例えば、工場で、第２ブロック３ＢにＭＦ供給槽１０及びポンプユニット１１などの設備を備え付け、または第７ブロック３ＧにＭＦ膜モジュール３６などの設備を備え付けた後に現場まで搬送できる。従って、水処理施設１の主要な構造は、複数のブロック３Ａ〜３Ｉを施工現場に設置することで、簡単に構築できる。
【００４７】
さらに、本実施形態では、レイアウトの変更や増設が必要な場合であっても、施設の全体を見直して一から構築する必要はなく、各ブロック３Ａ〜３Ｉに装備する設備を追加または変更し、ブロック３Ａ〜３Ｉの置き換えや追加などで対応できるため、レイアウトの変更や増設などにも柔軟に対応できる。特に、本実施形態では、処理能力の増加をブロック３Ａ〜３Ｉの増設によって容易に行える。従って、例えば、施工コストを抑えるために小規模の水処理施設を最初に構築し、その後、処理量の増加に伴って適宜に必要なブロックを増築して処理能力を増加させて対応することも可能である。
【００４８】
さらに、複数の異なる水処理施設に対応する設備を各ブロックに装備させて予め準備しておくことが可能なので、標準化し易い。さらに、水処理施設１の主要な構成は、複数のブロック３Ａ〜３Ｉからなるため、ブロック３Ａ〜３Ｉごとに分割して水処理施設１を解体することも比較的容易である。その結果、水処理施設１を他の場所へ移動させることも容易に行える。特に、本実施形態では、中央処理装置を備えるブロック３Ｆは親局となり、その他のブロック３Ａ〜３Ｅ，３Ｇ〜３Ｉは子局となってブロック３Ｆでの統一的な管理を受ける構成であり、ブロック３Ｆから各ブロック３Ａ〜３Ｅ，３Ｇ〜３Ｉへの配線もシンプルな構成にできるため、電気的にも分割が容易であり、移設した際の電気配線を容易に行える。さらに、ブロック３Ｆで統一的な管理を行っているので、処理能力の変更に伴うプログラムの変更もブロック３Ｆの中央処理装置に対して一元的に簡単に行うことができる。
【００４９】
さらに、現場にブロック３Ａ〜３Ｉを設置するのに合わせて、ブロック３Ａ〜３Ｉ同士を外部移送管５１ａ〜５１ｆで接続することによって水処理施設１を完成させることができるため、施工現場での作業負担は軽減され、施工現場での建設作業を効率化できる。さらに、複数のブロック３Ａ〜３Ｉは、二階建てになるように設置されるので、現場での敷地面積に合わせて容易にコンパクト化できる。なお、本実施形態では、上下多段の一例としてブロックを上下二段、すなわち二階建てとなる例を説明したが、上下三段以上、すなわち三階建て以上になってもよい。
【００５０】
さらに、本実施形態に係る各ブロック３Ａ〜３Ｉは直方体状であり、少なくとも、１階部分（下段）の第３〜第６ブロック３Ｃ〜３Ｅは、長手方向Ｄ１に交差する方向に沿って並び、少なくとも、２階部分（上段）の第７〜第９ブロック３Ｇ〜３Ｉは、第３〜第６ブロック３Ｃ〜３Ｅの長手方向Ｄ１に直交（交差）する方向Ｄ２に沿って、すなわち、方向Ｄ２に長手方向を向けて設置されている。この構成では、１階部分の第３〜第６ブロック３Ｃ〜３Ｅのいずれからでも、外部移送管（管路）を接続し易くなり、管路長を短くし易くなる。さらに、この構成では、２階部分の第７〜第９ブロック３Ｇ〜３Ｉは、安定し地震などの揺れにも強くなる。
【００５１】
さらに、本実施形態では、ＭＦ膜モジュール３６、１次ＲＯ膜モジュール４１または２次ＲＯ膜モジュール４６を装備する第７〜第８ブロック３Ｇ〜３Ｉは、壁構造のコンテナを利用している。従って、各膜モジュール３６，４１，４６を外界から遮断して、保護することが可能になる。また、第７〜第８ブロック３Ｇ〜３Ｉの外壁には、断熱塗装が施されている。膜モジュール３６，４１，４６の処理量は、濾過対象となる液体の温度の影響を受ける可能性がある。具体的には、低温になればなる程、液体の粘性が高くなって処理量が軽減する可能性がある。従って、第７〜第８ブロック３Ｇ〜３Ｉの外壁に断熱塗装を施すことによって、外界の温度変化に影響されない環境を形成でき、安定した処理を可能にする。
【００５２】
一方で、本実施形態では、ＭＦ供給槽１０，ＭＦ濃縮槽１６、１次ＲＯ供給槽２０または２次ＲＯ供給槽２１などの貯留槽及びポンプユニット１１，１７，２３，２５を装備する第１〜第５ブロック３Ａ〜３Ｅは、架構式構造によって設備を囲んでいる。架構式構造であるため、壁構造に比べて軽量化し易く、搬送の際に有利である。
【００５３】
さらに、ＭＦ供給槽１０などの重量負荷が大きな設備を装備する第１〜第５ブロック３Ａ〜３Ｅを下段に設置し、一方で、比較的重量負荷の小さな膜モジュール３６，４１，４６を装備する第７〜第９ブロック３Ｇ〜３Ｉを上段に設置することで、構造上、施設全体が安定する。
【００５４】
さらに、本実施形態に係る水処理施設１は二階建て構造であり、最上段となる二階に膜モジュール３６，４１，４６を装備する第７〜第９ブロック３Ｇ〜３Ｉを設置している。従って、膜モジュール３６，４１，４６を交換する場合には、第７〜第９ブロック３Ｇ〜３Ｉごと交換できるようになり、メンテナンス作業も容易となる。
【００５５】
なお、本実施形態に係る水処理施設１では、廃水槽５で受け入れた廃水を、ＭＦ供給槽１０からそのままＭＦ膜モジュール３６に供給する態様である。しかしながら、受け入れる廃水の汚濁の程度によって、適宜に前処理設備、例えば、生物処理設備や活性炭処理設備を装備したブロックを増設するようにしてもよい。
【００５６】
また、本実施形態に係る水処理施設１では、第３〜第５ブロック３Ｃ〜３Ｅの間にスペースＳｐを空け、そのスペースＳｐに外部移送管５１ｃ〜５１ｈを配置するようにしたが、この外部移送管５１ｃ〜５１ｈを例えば、直方体状の架構式構造のブロック（以下、「配管ブロック」という）に備え付け、配管ブロックをスペースＳｐに収めるようにしてもよい。この場合、外部移送管５１ｃ〜５１ｈの設置が、配管ブロックの第３〜第５ブロック３Ｃ〜３Ｅの間に設置することで可能になるため、効率的な施工が可能になる。
【００５７】
本発明は、上述の形態に限定されず、例えば、濾過膜の態様としては、ＭＦ膜やＲＯ膜を利用したクロスフロー方式の濾過設備に限定されず、全量濾過さらには浸漬膜を利用した濾過設備であってもよい。
【００５８】
また、本実施形態では、上段のユニット構造体が下段のユニット構造体の長手方向に交差する方向に沿って設置される態様として、直交する場合を例示したが、直交する場合に限定されず、交差することで形成される角度が９０°未満、すなわち、鋭角になるようにしてもよい。
【符号の説明】
【００５９】
１…水処理施設１、３Ａ〜３Ｅ…第１〜第５ブロック（第１のユニット構造体）、３Ｇ〜３Ｉ…第７〜第９ブロック（第２のユニット構造体）、５…廃水槽（貯留槽）、１０…ＭＦ供給槽（貯留槽）、１６…ＭＦ濃縮槽（貯留槽）、２０…１次ＲＯ供給槽（貯留槽）、２１…２次ＲＯ供給槽（貯留槽）、２８…濃縮槽（貯留槽）、２９…回収槽（貯留槽）、６ａ，１１ａ，２３ａ，２５ａ，３０ａ…ポンプ、Ｓｐ…スペース、３６…ＭＦ膜モジュール（濾過膜）、４１…１次ＲＯ膜モジュール（濾過膜）、４６…２次ＲＯ膜モジュール（濾過膜）、５１ａ〜５１ｈ…外部移送管（管路）、Ｄ１…１階部分のブロックの長手方向（下段のユニット構造体の長手方向）。
【図１】
2010227791.tif 000003
【図２】
2010227791.tif 000004
【図３】
2010227791.tif 000005
【図４】
2010227791.tif 000006
【図５】
2010227791.tif 000007
【図６】
2010227791.tif 000008
【図７】
2010227791.tif 000009